【手続補正書】
【提出日】平成29年1月5日(2017.1.5)
【手続補正１】
【補正対象書類名】特許請求の範囲
【補正対象項目名】全文
【補正方法】変更
【補正の内容】
【特許請求の範囲】
【請求項１】
非常駐ページを処理する方法であって、
前記方法は、メモリ管理ユニット（ＭＭＵ）を用いて、プロセッサが第１の非常駐ページにアクセスしようと試みたと決定することを備え、
前記第１の非常駐ページは、メモリ内のページにマッピングしないページを備え、
前記方法は、前記第１の非常駐ページがテクスチャ情報用であるかテクスチャ情報用でないかに基づいて、前記第１の非常駐ページへのアクセスからページフォールトが生じることになるかどうか、または、前記第１の非常駐ページへのアクセスから前記ページフォールトが生じないことになるかどうかを示す１つ以上の値の第１のセットを読み出すことを備え、
前記１つ以上の値の第１のセットは、前記第１の非常駐ページがテクスチャ情報用であることに基づいて前記ページフォールトが生じないことになると示し、前記第１の非常駐ページがテクスチャ情報用でないことに基づいて前記ページフォールトが生じることになると示し、
前記方法は、
前記プロセッサが前記第１の非常駐ページにアクセスしようと試みたとの決定に応じて、前記ＭＭＵを用いて、前記１つ以上の値の第１のセットに基づいて、前記第１の非常駐ページへのアクセスから前記ページフォールトが生じることになるかどうか、または、前記第１の非常駐ページへのアクセスから前記ページフォールトが生じないことになるかどうかを決定することと、
前記第１の非常駐ページがテクスチャ情報用であることと、前記第１の非常駐ページへのアクセスから前記ページフォールトが生じないことになるとの決定とに応じて、前記ＭＭＵを用いて、前記プロセッサへと、メモリ読み出しが変換しなかったという指示と、前記第１の非常駐ページへのアクセスが読み出しであるときにはデフォルト値へのアドレスとを返すことと、
前記ＭＭＵを用いて、前記プロセッサが第２の非常駐ページにアクセスしようと試みたと決定することと
を備え、
前記第２の非常駐ページは、前記メモリ内のページにマッピングしないページを備え、
前記方法は、前記第２の非常駐ページがテクスチャ情報用であるかテクスチャ情報用でないかに基づいて、前記第２の非常駐ページへのアクセスからページフォールトが生じることになるかどうか、または、前記第２の非常駐ページへのアクセスから前記ページフォールトが生じないことになるかどうかを示す１つ以上の値の第２のセットを読み出すことを備え、
前記１つ以上の値の第２のセットは、前記第２の非常駐ページがテクスチャ情報用であることに基づいて前記ページフォールトが生じないことになると示し、前記第２の非常駐ページがテクスチャ情報用でないことに基づいて前記ページフォールトが生じることになると示し、
前記方法は、
前記プロセッサが前記第２の非常駐ページにアクセスしようと試みたとの決定に応じて、前記ＭＭＵを用いて、前記１つ以上の値の第２のセットに基づいて、前記第２の非常駐ページへのアクセスから前記ページフォールトが生じることになるかどうか、または、前記第２の非常駐ページへのアクセスから前記ページフォールトが生じないことになるかどうかを決定することと、
前記第２の非常駐ページがテクスチャ情報用でないことと、前記第２の非常駐ページへのアクセスから前記ページフォールトが生じることになるとの決定とに応じて、前記プロセッサを用いて、前記第２の非常駐ページのページフォールトを示す情報を受け取ることと
を備える、
方法。
【請求項２】
前記１つ以上の値の第１のセットを読み出すことは、ビットまたはフラグを読み出すことを含み、
前記ページフォールトが生じることになるか生じないことになるかを決定することは、前記ページフォールトが生じることになるか生じないことになるかを前記ビットまたはフラグに基づいて決定することを含む、請求項１に記載の方法。
【請求項３】
前記デフォルト値が返されるとき、常駐検査を実行することをさらに備える、請求項１に記載の方法。
【請求項４】
前記アクセスが、一部常駐テクスチャへの読み出しを含む、請求項１に記載の方法。
【請求項５】
前記第１の非常駐ページへのアクセスの一部として前記一部常駐テクスチャの粗さレベルを読み出すことをさらに備える、請求項４に記載の方法。
【請求項６】
前記プロセッサがアクセスしようと試みたと決定することが、前記プロセッサがカラーバッファリングのために前記第１の非常駐ページにアクセスしようと試みたと決定することを含む、請求項１に記載の方法。
【請求項７】
非常駐ページを処理する方法であって、
前記方法は、メモリ管理ユニット（ＭＭＵ）を用いて、プロセッサが第１の非常駐ページにアクセスしようと試みたと決定することを備え、
前記第１の非常駐ページは、メモリ内のページにマッピングしないページを備え、
前記方法は、前記第１の非常駐ページがテクスチャ情報用であるかテクスチャ情報用でないかに基づいて、前記第１の非常駐ページへのアクセスからページフォールトが生じることになるかどうか、または、前記第１の非常駐ページへのアクセスから前記ページフォールトが生じないことになるかどうかを示す１つ以上の値の第１のセットを読み出すことを備え、
前記１つ以上の値の第１のセットは、前記第１の非常駐ページがテクスチャ情報用であることに基づいて前記ページフォールトが生じないことになると示し、前記第１の非常駐ページがテクスチャ情報用でないことに基づいて前記ページフォールトが生じることになると示し、
前記方法は、
前記プロセッサが前記第１の非常駐ページにアクセスしようと試みたとの決定に応じて、前記ＭＭＵを用いて、前記１つ以上の値の第１のセットに基づいて、前記第１の非常駐ページへのアクセスから前記ページフォールトが生じることになるかどうか、または、前記第１の非常駐ページへのアクセスから前記ページフォールトが生じないことになるかどうかを決定することと、
前記第１の非常駐ページがテクスチャ情報用であることと、前記第１の非常駐ページへのアクセスから前記ページフォールトが生じないことになるとの決定とに応じて、前記プロセッサによる前記第１の非常駐ページの書き込みアクセスを中止することと、
前記ＭＭＵを用いて、前記プロセッサが第２の非常駐ページにアクセスしようと試みたと決定することと
を備え、
前記第２の非常駐ページは、前記メモリ内のページにマッピングしないページを備え、
前記方法は、前記第２の非常駐ページがテクスチャ情報用であるかテクスチャ情報用でないかに基づいて、前記第２の非常駐ページへのアクセスからページフォールトが生じることになるかどうか、または、前記第２の非常駐ページへのアクセスから前記ページフォールトが生じないことになるかどうかを示す１つ以上の値の第２のセットを読み出すことを備え、
前記１つ以上の値の第２のセットは、前記第２の非常駐ページがテクスチャ情報用であることに基づいて前記ページフォールトが生じないことになると示し、前記第２の非常駐ページがテクスチャ情報用でないことに基づいて前記ページフォールトが生じることになると示し、
前記方法は、
前記プロセッサが前記第２の非常駐ページにアクセスしようと試みたとの決定に応じて、前記ＭＭＵを用いて、前記１つ以上の値の第２のセットに基づいて、前記第２の非常駐ページへのアクセスから前記ページフォールトが生じることになるかどうか、または、前記第２の非常駐ページへのアクセスから前記ページフォールトが生じないことになるかどうかを決定することと、
前記第２の非常駐ページがテクスチャ情報用でないことと、前記第２の非常駐ページへのアクセスから前記ページフォールトが生じることになるとの決定とに応じて、前記プロセッサを用いて、前記第２の非常駐ページのページフォールトを示す情報を受け取ることと
を備える、
方法。
【請求項８】
前記第１の非常駐ページへのアドレスは、デフォルト値を含んでいるメモリページを指し、
前記方法は、ページテーブル中のアドレスを、デフォルト値を含んでいる前記メモリページのアドレス値と比較することをさらに備え、
前記プロセッサが前記第１の非常駐ページにアクセスしようと試みたと決定することは、前記プロセッサが前記第１の非常駐ページにアクセスしようと試みたと前記比較に基づいて決定することを含む、
請求項７に記載の方法。
【請求項９】
デフォルト値を含んでいる前記メモリページの前記アドレス値がレジスタ中に記憶される、請求項８に記載の方法。
【請求項１０】
前記第１の非常駐ページへのアドレスは、デフォルト値を含んでいるメモリページを指し、
前記１つ以上の値を読み出すことは、前記デフォルト値を読み出すことを含み、
ページが常駐であるか、または非常駐であるかを前記デフォルト値が示す、
請求項７に記載の方法。
【請求項１１】
中止された書き込みから失われたデータが後で必要とされる場合、前記データを再計算することをさらに備える、請求項７に記載の方法。
【請求項１２】
非常駐ページを処理するための装置であって、
前記装置は、
複数のページを備えるメモリと、
集積回路を含むプロセッサと
を備え、
前記プロセッサは、第１の非常駐ページにアクセスしようと試みるように構成され、
前記第１の非常駐ページは、前記メモリ内のページにマッピングしないページを備え、
前記プロセッサは、第２の非常駐ページにアクセスしようと試みるように構成され、
前記第２の非常駐ページは、前記メモリ内のページにマッピングしないページを備え、
前記装置は、集積回路を含むメモリ管理ユニット（ＭＭＵ）を備え、
前記ＭＭＵは、
前記プロセッサが前記第１の非常駐ページにアクセスしようと試みたと決定することと、
前記第１の非常駐ページがテクスチャ情報用であるかテクスチャ情報用でないかに基づいて、前記第１の非常駐ページへのアクセスからページフォールトが生じることになるかどうか、または、前記第１の非常駐ページへのアクセスから前記ページフォールトが生じないことになるかどうかを示す１つ以上の値の第１のセットを読み出すことと
を行うように構成され、
前記１つ以上の値の第１のセットは、前記第１の非常駐ページがテクスチャ情報用であることに基づいて前記ページフォールトが生じないことになると示し、前記第１の非常駐ページがテクスチャ情報用でないことに基づいて前記ページフォールトが生じることになると示し、
前記ＭＭＵは、
前記プロセッサが前記前記第１の非常駐ページにアクセスしようと試みたとの決定に応じて、前記１以上の値の第１のセットに基づいて、前記第１の非常駐ページへのアクセスから前記ページフォールトが生じることになるかどうか、または、前記第１の非常駐ページへのアクセスから前記ページフォールトが生じないことになるかどうかを決定することと、
前記第１の非常駐ページがテクスチャ情報用であることと、前記第１の非常駐ページへのアクセスから前記ページフォールトが生じないことになるとの決定とに応じて、前記プロセッサへと、メモリ読み出しが変換しなかったという指示と、前記第１の非常駐ページのアクセスが読み出しであるときにはデフォルト値へのアドレスとを返すことと、
前記プロセッサが第２の非常駐ページにアクセスしようと試みたと決定することと、
前記第２の非常駐ページがテクスチャ情報用であるかテクスチャ情報用でないかに基づいて、前記第２の非常駐ページへのアクセスからページフォールトが生じることになるかどうか、または、前記第２の非常駐ページへのアクセスから前記ページフォールトが生じないことになるかどうかを示す１つ以上の値の第２のセットを読み出すことと
を行うように構成され、
前記１つ以上の値の第２のセットは、前記第２の非常駐ページがテクスチャ情報用であることに基づいて前記ページフォールトが生じないことになると示し、前記第２の非常駐ページがテクスチャ情報用でないことに基づいて前記ページフォールトが生じることになると示し、
前記ＭＭＵは、前記プロセッサが前記第２の非常駐ページにアクセスしようと試みたとの決定に応じて、前記１つ以上の値の第２のセットに基づいて、前記第２の非常駐ページへのアクセスから前記ページフォールトが生じることになるかどうか、または、前記第２の非常駐ページへのアクセスから前記ページフォールトが生じないことになるかどうかを決定することを行うように構成され、
前記プロセッサは、前記第２の非常駐ページがテクスチャ情報用でないことと、前記第２の非常駐ページへのアクセスから前記ページフォールトが生じることになるとの決定とに応じて、前記第２の非常駐ページのページフォールトを示す情報を受け取るように構成される、
装置。
【請求項１３】
前記１以上の値の第１のセットを読み出すために、前記ＭＭＵは、ビットまたはフラグを読み出すように構成され、
前記ＭＭＵは、前記ページフォールトが生じることになるか生じないことになるかを前記ビットまたはフラグに基づいて決定するように構成される、請求項１２に記載の装置。
【請求項１４】
前記プロセッサは、前記デフォルト値が返されるとき、常駐検査を実行することを行うようにさらに構成された、請求項１２に記載の装置。
【請求項１５】
前記第１の非常駐ページにアクセスしようと試みるために、前記プロセッサが、一部常駐テクスチャへの読み出しを実行することを行うようにさらに構成された、請求項１２に記載の装置。
【請求項１６】
前記プロセッサは、前記非常駐ページへのアクセスの一部として前記一部常駐テクスチャの粗さレベルを読み出すことを行うようにさらに構成された、請求項１５に記載の装置。
【請求項１７】
前記プロセッサが前記第１の非常駐ページにアクセスしようと試みたと決定するために、前記プロセッサが、カラーバッファリングのために前記プロセッサが前記第１の非常駐ページにアクセスしようと試みたと決定することを行うようにさらに構成された、請求項１２に記載の装置。
【請求項１８】
非常駐ページを処理するための装置であって、
前記装置は、
複数のページを備えるメモリと、
集積回路を含むプロセッサと
を備え、
前記プロセッサは、第１の非常駐ページにアクセスしようと試みることを行うように構成され、
前記第１の非常駐ページは、前記メモリ内のページにマッピングしないページを備え、
前記プロセッサは、第２の非常駐ページにアクセスしようと試みるように構成され、
前記第２の非常駐ページは、前記メモリ内のページにマッピングしないページを備え、
前記装置は、集積回路を含むメモリ管理ユニット（ＭＭＵ）を備え、
前記ＭＭＵは、
前記プロセッサが前記第１の非常駐ページにアクセスしようと試みたと決定することと、
前記第１の非常駐ページがテクスチャ情報用であるかテクスチャ情報用でないかに基づいて、前記第１の非常駐ページへのアクセスからページフォールトが生じることになるかどうか、または、前記第１の非常駐ページへのアクセスから前記ページフォールトが生じないことになるかどうかを示す１つ以上の値の第１のセットを読み出すことと
を行うように構成され、
前記１つ以上の値の第１のセットは、前記第１の非常駐ページがテクスチャ情報用であることに基づいて前記ページフォールトが生じないことになると示し、前記第１の非常駐ページがテクスチャ情報用でないことに基づいて前記ページフォールトが生じることになると示し、
前記ＭＭＵは、前記プロセッサが前記第１の非常駐ページにアクセスしようと試みたとの決定に応じて、前記１以上の値の第１のセットに基づいて、前記第１の非常駐ページへのアクセスから前記ページフォールトが生じることになるかどうか、または、前記第１の非常駐ページへのアクセスから前記ページフォールトが生じないことになるかどうかを決定することを行うように構成され、
前記プロセッサは、前記第１の非常駐ページがテクスチャ情報用であることと、前記第１の非常駐ページへのアクセスから前記ページフォールトが生じないことになるとの決定とに応じて、前記第１の非常駐ページの前記アクセスが書き込みであるときには、書き込みを中止するように構成され、
前記ＭＭＵは、
前記プロセッサが第２の非常駐ページにアクセスしようと試みたと決定することと、
前記第２の非常駐ページがテクスチャ情報用であるかテクスチャ情報用でないかに基づいて、前記第２の非常駐ページへのアクセスからページフォールトが生じることになるかどうか、または、前記第２の非常駐ページへのアクセスから前記ページフォールトが生じないことになるかどうかを示す１つ以上の値の第２のセットを読み出すことと
を行うように構成され、
前記１つ以上の値の第２のセットは、前記第２の非常駐ページがテクスチャ情報用であることに基づいて前記ページフォールトが生じないことになると示し、前記第２の非常駐ページがテクスチャ情報用でないことに基づいて前記ページフォールトが生じることになると示し、
前記ＭＭＵは、前記プロセッサが前記第２の非常駐ページにアクセスしようと試みたとの決定に応じて、前記１つ以上の値の第２のセットに基づいて、前記第２の非常駐ページへのアクセスから前記ページフォールトが生じることになるかどうか、または、前記第２の非常駐ページへのアクセスから前記ページフォールトが生じないことになるかどうかを決定することを行うように構成され、
前記プロセッサは、前記第２の非常駐ページがテクスチャ情報用でないことと、前記第２の非常駐ページへのアクセスから前記ページフォールトが生じることになるとの決定とに応じて、前記第２の非常駐ページのページフォールトを示す情報を受け取るように構成される、
装置。
【請求項１９】
前記第１の非常駐ページへのアドレスは、デフォルト値を含んでいるメモリページを指し、
前記ＭＭＵが、ページテーブル中のアドレスを、デフォルト値を含んでいる前記メモリページのアドレス値と比較することを行うようにさらに構成され、
前記プロセッサが前記第１の非常駐ページにアクセスしようと試みたと決定するために、前記ＭＭＵは、前記プロセッサが前記第１の非常駐ページにアクセスしようと試みたと前記比較に基づいて決定するように構成される、
請求項１８に記載の装置。
【請求項２０】
デフォルト値を含んでいる前記メモリページの前記アドレス値がレジスタ中に記憶される、請求項１９に記載の装置。
【請求項２１】
前記第１の非常駐ページへのアドレスは、デフォルト値を含んでいるメモリページを指し、
前記１以上の値を読み出すために、前記ＭＭＵは、前記デフォルト値を読み出すように構成され、
ページが常駐であるか、または非常駐であるかを前記デフォルト値が示す、
請求項１８に記載の装置。
【請求項２２】
前記プロセッサは、中止された書き込みから失われたデータが後で必要とされる場合、前記データを再計算することを行うようにさらに構成された、請求項１８に記載の装置。
【請求項２３】
非常駐ページを処理するための装置であって、
前記装置は、
プロセッサと、
メモリ管理ユニット（ＭＭＵ）と
を備え、
前記ＭＭＵは、前記プロセッサが第１の非常駐ページにアクセスしようと試みたと決定するための手段を備え、
前記第１の非常駐ページは、メモリ内のページにマッピングしないページを備え、
前記ＭＭＵは、前記第１の非常駐ページがテクスチャ情報用であるかテクスチャ情報用でないかに基づいて、前記第１の非常駐ページへのアクセスからページフォールトが生じることになるかどうか、または、前記第１の非常駐ページへのアクセスから前記ページフォールトが生じないことになるかどうかを示す１つ以上の値の第１のセットを読み出すための手段を備え、
前記１つ以上の値の第１のセットは、前記第１の非常駐ページがテクスチャ情報用であることに基づいて前記ページフォールトが生じないことになると示し、前記第１の非常駐ページがテクスチャ情報用でないことに基づいて前記ページフォールトが生じることになると示し、
前記ＭＭＵは、
前記１つ以上の値の第１のセットに基づく前記プロセッサが前記第１の非常駐ページにアクセスしようと試みたとの決定に応じて、前記１つ以上の第１の値に基づいて、前記第１の非常駐ページへのアクセスから前記ページフォールトが生じるかどうか、または、前記第１の非常駐ページへのアクセスから前記ページフォールトが生じないことになるかどうかを決定するための手段と、
前記第１の非常駐ページがテクスチャ情報用であることと、前記第１の非常駐ページへのアクセスから前記ページフォールトが生じないことになるとの決定とに応じて、前記プロセッサへと、メモリ読み出しが変換しなかったという指示と、前記第１の非常駐ページの前記アクセスが読み出しであるときには前記プロセッサに対するデフォルト値のためのアドレスとを返すための手段と、
前記プロセッサが第２の非常駐ページにアクセスしようと試みたと決定するための手段と、
前記第２の非常駐ページがテクスチャ情報用であるかテクスチャ情報用でないかに基づいて、前記第２の非常駐ページへのアクセスからページフォールトが生じることになるかどうか、または、前記第２の非常駐ページへのアクセスから前記ページフォールトが生じないことになるかどうかを示す１つ以上の値の第２のセットを読み出すための手段と
を備え、
前記１つ以上の値の第２のセットは、前記第２の非常駐ページがテクスチャ情報用であることに基づいて前記ページフォールトが生じないことになると示し、前記第２の非常駐ページがテクスチャ情報用でないことに基づいて前記ページフォールトが生じることになると示し、
前記ＭＭＵは、前記プロセッサが前記第２の非常駐ページにアクセスしようと試みたとの決定に応じて、前記１つ以上の値の第２のセットに基づいて、前記第２の非常駐ページへのアクセスから前記ページフォールトが生じることになるかどうか、または、前記第２の非常駐ページへのアクセスから前記ページフォールトが生じないことになるかどうかを決定するための手段を備え、
前記プロセッサは、前記第２の非常駐ページがテクスチャ情報用でないことと、前記第２の非常駐ページへのアクセスから前記ページフォールトが生じることになるとの決定とに応じて、前記第２の非常駐ページのページフォールトを示す情報を受け取るための手段を備える、
装置。
【請求項２４】
前記１以上の値の第１のセットを読み出すための手段は、ビットまたはフラグを読み出すための手段を含み、
前記ページフォールトが生じることになるか生じないことになるかを決定するための手段は、前記ページフォールトが生じることになるか生じないことになるかを前記ビットまたはフラグに基づいて決定するための手段を備える、請求項２３に記載の装置。
【請求項２５】
デフォルト値が返されるとき、常駐検査を実行するための手段をさらに備える、請求項２３に記載の装置。
【請求項２６】
非常駐ページを処理するための装置であって、
前記装置は、
プロセッサと、
メモリ管理ユニット（ＭＭＵ）と
を備え、
前記ＭＭＵは、前記プロセッサが第１の非常駐ページにアクセスしようと試みたと決定するための手段を備え、
前記第１の非常駐ページは、メモリ内のページにマッピングしないページを備え、
前記ＭＭＵは、前記第１の非常駐ページがテクスチャ情報用であるかテクスチャ情報用でないかに基づいて、前記第１の非常駐ページへのアクセスからページフォールトが生じることになるかどうか、または、前記第１の非常駐ページへのアクセスから前記ページフォールトが生じないことになるかどうかを示す１つ以上の値の第１のセットを読み出すための手段を備え、
前記１つ以上の値の第１のセットは、前記第１の非常駐ページがテクスチャ情報用であることに基づいて前記ページフォールトが生じないことになると示し、前記第１の非常駐ページがテクスチャ情報用でないことに基づいて前記ページフォールトが生じることになると示し、
前記ＭＭＵは、
前記プロセッサが前記第１の非常駐ページにアクセスしようと試みたとの決定に応じて、前記１以上の値の第１のセットに基づいて、前記第１の非常駐ページへのアクセスから前記ページフォールトが生じることになるかどうか、または、前記第１の非常駐ページへのアクセスから前記ページフォールトが生じないことになるかどうかを決定するための手段と、
前記プロセッサが第２の非常駐ページにアクセスしようと試みたと決定する手段と
を備え、
前記第２の非常駐ページは、前記メモリ内のページにマッピングしないページを備え、
前記ＭＭＵは、前記第２の非常駐ページがテクスチャ情報用であるかテクスチャ情報用でないかに基づいて、前記第２の非常駐ページへのアクセスからページフォールトが生じることになるかどうか、または、前記第２の非常駐ページへのアクセスから前記ページフォールトが生じないことになるかどうかを示す１つ以上の値の第２のセットを読み出すための手段を備え、
前記１つ以上の値の第２のセットは、前記第２の非常駐ページがテクスチャ情報用であることに基づいて前記ページフォールトが生じないことになると示し、前記第２の非常駐ページがテクスチャ情報用でないことに基づいて前記ページフォールトが生じることになると示し、
前記ＭＭＵは、前記プロセッサが前記第２の非常駐ページにアクセスしようと試みたとの決定に応じて、前記１つ以上の値の第２のセットに基づいて、前記第２の非常駐ページへのアクセスから前記ページフォールトが生じることになるかどうか、または、前記第２の非常駐ページへのアクセスから前記ページフォールトが生じないことになるかどうかを決定するための手段を備え、
前記プロセッサは、
前記第１の非常駐ページがテクスチャ情報用であることと、前記第１の非常駐ページへのアクセスから前記ページフォールトが生じないことになるとの決定とに応じて、前記第１の非常駐ページの書き込みアクセスを中止するための手段と、
前記第２の非常駐ページがテクスチャ情報用でないことと、前記第２の非常駐ページへのアクセスから前記ページフォールトが生じることになるとの決定に応じて、前記第２の非常駐ページのページフォールトを示す情報を受け取るための手段と
を備える、装置。
【請求項２７】
前記第１の非常駐ページへのアドレスは、デフォルト値を含んでいるメモリページを指し、
前記装置は、ページテーブル中のアドレスを、デフォルト値を含んでいる前記メモリページのアドレス値と比較するための手段をさらに備え、
前記プロセッサが前記非常駐ページにアクセスしようと試みたと決定するための手段は、前記プロセッサが前記非常駐ページにアクセスしようと試みたと前記比較に基づいて決定するための手段を備える、
請求項２６に記載の装置。
【請求項２８】
デフォルト値を含んでいる前記メモリページの前記アドレス値を記憶するための手段をさらに備える、請求項２７に記載の装置。
【請求項２９】
中止された書き込みから失われたデータが後で必要とされる場合、前記データを再計算するための手段をさらに備える、請求項２６に記載の装置。
【請求項３０】
非一時的コンピュータ可読記憶媒体であって、
前記非一時的コンピュータ可読記憶媒体は、実行時に、メモリ管理ユニット（ＭＭＵ）に、プロセッサが第１の非常駐ページにアクセスしようと試みたと決定させる命令を記憶し、
前記第１の非常駐ページは、メモリ内のページにマッピングしないページを備え、
前記非一時的コンピュータ可読記憶媒体は、実行時に、前記ＭＭＵに、前記第１の非常駐ページがテクスチャ情報用であるかテクスチャ情報用でないかに基づいて、前記第１の非常駐ページへのアクセスからページフォールトが生じることになるかどうか、または、前記第１の非常駐ページへのアクセスから前記ページフォールトが生じないことになるかどうかを示す１つ以上の値の第１のセットを読み出させる命令を記憶し、
前記１つ以上の値の第１のセットは、前記第１の非常駐ページがテクスチャ情報用であることに基づいて前記ページフォールトが生じないことになると示し、前記第１の非常駐ページがテクスチャ情報用でないことに基づいて前記ページフォールトが生じることになると示し、
前記非一時的コンピュータ可読記憶媒体は、実行時に、
前記プロセッサが前記第１の非常駐ページにアクセスしようと試みたとの決定に応じて、前記ＭＭＵに、前記１以上の値の第１のセットに基づいて、前記第１の非常駐ページへのアクセスから前記ページフォールトが生じることになるかどうか、または、前記第１の非常駐ページへのアクセスから前記ページフォールトが生じないことになるかどうかを決定させ、
前記第１の非常駐ページがテクスチャ情報用であることと、前記第１の非常駐ページへのアクセスから前記ページフォールトが生じないことになるとの決定に応じて、前記ＭＭＵに、前記プロセッサへと、メモリ読み出しが変換しなかったという指示と、前記第１の非常駐ページの前記アクセスが読み出しであるときにはデフォルト値へのアドレスを返させ、
前記ＭＭＵに、前記プロセッサが第２の非常駐ページにアクセスしようと試みたと決定させる、
命令を記憶し、
前記第２の非常駐ページは、前記メモリ内のページにマッピングしないページを備え、
前記非一時的コンピュータ可読記憶媒体は、実行時に、前記ＭＭＵに、前記第２の非常駐ページがテクスチャ情報用であるかテクスチャ情報用でないかに基づいて、前記第２の非常駐ページへのアクセスからページフォールトが生じることになるかどうか、または、前記第２の非常駐ページへのアクセスから前記ページフォールトが生じないことになるかどうかを示す１つ以上の値の第２のセットを読み出させる命令を記憶し、
前記１つ以上の値の第２のセットは、前記第２の非常駐ページがテクスチャ情報用であることに基づいて前記ページフォールトが生じないことになると示し、前記第２の非常駐ページがテクスチャ情報用でないことに基づいて前記ページフォールトが生じることになると示し、
前記非一時的コンピュータ可読記憶媒体は、実行時に、
前記プロセッサが前記第２の非常駐ページにアクセスしようと試みたとの決定に応じて、前記ＭＭＵに、前記１つ以上の値の第２のセットに基づいて、前記第２の非常駐ページへのアクセスから前記ページフォールトが生じることになるかどうか、または、前記第２の非常駐ページへのアクセスから前記ページフォールトが生じないことになるかどうかを決定させ、
前記第２の非常駐ページがテクスチャ情報用でないことと、前記第２の非常駐ページへのアクセスから前記ページフォールトが生じることになるとの決定とに応じて、前記プロセッサに、前記第２の非常駐ページのページフォールトを示す情報を受け取らせる、
命令を記憶する、非一時的コンピュータ可読記憶媒体。
【請求項３１】
非一時的コンピュータ可読記憶媒体であって、
前記非一時的コンピュータ可読記憶媒体は、実行時に、メモリ管理ユニット（ＭＭＵ）に、プロセッサが第１の非常駐ページにアクセスしようと試みたと決定させる命令を記憶し、
前記第１の非常駐ページは、メモリ内のページにマッピングしないページを備え、
前記非一時的コンピュータ可読記憶媒体は、実行時に、前記ＭＭＵに、前記第１の非常駐ページがテクスチャ情報用であるかテクスチャ情報用でないかに基づいて、前記第１の非常駐ページへのアクセスからページフォールトが生じることになるかどうか、または、前記第１の非常駐ページへのアクセスから前記ページフォールトが生じないことになるかどうかを示す１つ以上の値の第１のセットを読み出させる命令を記憶し、
前記１つ以上の値の第１のセットは、前記第１の非常駐ページがテクスチャ情報用であることに基づいて前記ページフォールトが生じないことになると示し、前記第１の非常駐ページがテクスチャ情報用でないことに基づいて前記ページフォールトが生じることになると示し、
前記非一時的コンピュータ可読記憶媒体は、実行時に、
前記プロセッサが前記第１の非常駐ページにアクセスしようと試みたとの決定に応じて、前記ＭＭＵに、前記１以上の値の第１のセットに基づいて、前記第１の非常駐ページへのアクセスから前記ページフォールトが生じることになるかどうか、または、前記第１の非常駐ページへのアクセスから前記ページフォールトが生じないことになるかどうかを決定させ、
前記第１の非常駐ページがテクスチャ情報用であることと、前記第１の非常駐ページへのアクセスから前記ページフォールトが生じないことになるとの決定に応じて、前記プロセッサに、前記第１の非常駐ページの書き込みアクセスを中止させ、
前記ＭＭＵに、前記プロセッサが第２の非常駐ページにアクセスしようと試みたと決定させる、
命令を記憶し、
前記第２の非常駐ページは、前記メモリ内のページにマッピングしないページを備え、
前記非一時的コンピュータ可読記憶媒体は、実行時に、前記ＭＭＵに、前記第２の非常駐ページがテクスチャ情報用であるかテクスチャ情報用でないかに基づいて、前記第２の非常駐ページへのアクセスからページフォールトが生じることになるかどうか、または、前記第２の非常駐ページへのアクセスから前記ページフォールトが生じないことになるかどうかを示す１つ以上の値の第２のセットを読み出させる命令を記憶し、
前記１つ以上の値の第２のセットは、前記第２の非常駐ページがテクスチャ情報用であることに基づいて前記ページフォールトが生じないことになると示し、前記第２の非常駐ページがテクスチャ情報用でないことに基づいて前記ページフォールトが生じることになると示し、
前記非一時的コンピュータ可読記憶媒体は、実行時に、
前記プロセッサが前記第２の非常駐ページにアクセスしようと試みたとの決定に応じて、前記ＭＭＵに、前記１つ以上の値の第２のセットに基づいて、前記第２の非常駐ページへのアクセスから前記ページフォールトが生じることになるかどうか、または、前記第２の非常駐ページへのアクセスから前記ページフォールトが生じないことになるかどうかを決定させ、
前記第２の非常駐ページがテクスチャ情報用でないことと、前記第２の非常駐ページへのアクセスから前記ページフォールトが生じることになるとの決定とに応じて、前記プロセッサに、前記第２の非常駐ページのページフォールトを示す情報を受け取らせる、
命令を記憶する、
非一時的コンピュータ可読記憶媒体。